(57)【要約】【課題】ディスプレイ同士を容易に接続する。【解決手段】直方体状の筐体１０の１つの面３０に映像を表示する表示部２１が設けられている。面３０に直交する４つの側面のうちの左側面３１には、左コネクタ部４１が設けられており、左コネクタ部４１には、外部から、映像信号が入力される。また、左側面３１と対向する右側面３３には、右コネクタ部４３が設けられており、右コネクタ部４３からは、外部に、映像信号が出力される。本発明は、例えば、マルチディスプレイシステムを構成するディスプレイに適用できる。【選択図】図１
2007166364.tif 000002
【特許請求の範囲】
【請求項１】
映像を表示する表示手段が１つの面に設けられた直方体状の筐体を有するディスプレイにおいて、
前記表示手段が設けられた面に直交する前記筐体の４つの側面のうちの第１の側面に設けられた、外部から、少なくとも映像信号が入力される第１のコネクタ部と、
前記第１の側面と対向する第２の側面に設けられた、外部に、少なくとも映像信号を出力する第２のコネクタ部と
を備えるディスプレイ。
【請求項２】
前記ディスプレイの第１の側面と、他のディスプレイの第２の側面とが対向するように、前記ディスプレイと前記他のディスプレイとが配置されたとき、前記ディスプレイの第１のコネクタ部と、前記他のディスプレイの第２の側面に設けられた第２のコネクタ部とが電気的に接続され、
前記ディスプレイの第２の側面に、他のディスプレイの第１の側面が対向するように、前記ディスプレイと前記他のディスプレイとが配置されたとき、前記ディスプレイの第２のコネクタ部と前記他のディスプレイの第１の側面に設けられた第１のコネクタ部とが電気的に接続される
請求項１に記載のディスプレイ。
【請求項３】
前記第１のコネクタ部には、映像信号が無線で入力され、
前記第２のコネクタ部は、映像信号を無線で出力する
請求項１に記載のディスプレイ。
【請求項４】
前記第１のコネクタ部には、放送用の高周波信号、音声信号、または制御信号も入力され、
前記第２のコネクタ部からは、放送用の高周波信号、音声信号、または制御信号も出力される
請求項１に記載のディスプレイ。
【請求項５】
前記筐体の４つの側面のうちの前記第１および前記第２の側面以外の第３の側面に設けられた、外部から、少なくとも映像信号が入力される第３のコネクタ部と、
前記第３の側面と対向する第４の側面に設けられた、外部に、少なくとも、映像信号を出力する第４のコネクタ部と、
前記第１のコネクタ部または前記第３のコネクタ部に入力される映像信号のうちのいずれかを選択し、前記第２のコネクタ部および前記第４のコネクタ部から外部に出力させる選択手段と
をさらに備える請求項１に記載のディスプレイ。
【請求項６】
前記第１または前記第３のコネクタ部に、他のディスプレイが接続されているか否かを判定する判定手段をさらに備え、
前記選択手段は、前記他のディスプレイが接続されているか否かの判定結果に応じて、前記第１または前記第３のコネクタ部に入力される映像信号のうちのいずれかを選択する
請求項５に記載のディスプレイ。
【請求項７】
映像を表示する表示手段が１つの面に設けられた直方体状の筐体と、
前記表示手段が設けられた面に直交する前記筐体の４つの側面のうちの第１の側面に設けられた、外部から、少なくとも映像信号が入力される第１のコネクタ部と、
前記第１の側面と対向する第２の側面に設けられた、外部に、少なくとも映像信号を出力する第２のコネクタ部と、
前記筐体の４つの側面のうちの前記第１および前記第２の側面以外の第３の側面に設けられた、外部から、少なくとも映像信号が入力される第３のコネクタ部と、
前記第３の側面と対向する第４の側面に設けられた、外部に、少なくとも、映像信号を出力する第４のコネクタ部と
を備えるディスプレイの制御方法において、
前記第１または前記第３のコネクタ部に、他のディスプレイが接続されているか否かを判定し、
前記他のディスプレイが接続されているか否かの判定結果に応じて、前記第１または前記第３のコネクタ部に入力される映像信号のうちのいずれかを選択し、前記第２のコネクタ部および前記第４のコネクタ部から外部に出力させる
ステップを含むディスプレイの制御方法。
【請求項８】
映像を表示する表示手段が１つの面に設けられた直方体状の筐体と、
前記表示手段が設けられた面に直交する前記筐体の４つの側面のうちの第１の側面に設けられた、外部から、少なくとも映像信号が入力される第１のコネクタ部と、
前記第１の側面と対向する第２の側面に設けられた、外部に、少なくとも映像信号を出力する第２のコネクタ部と、
前記筐体の４つの側面のうちの前記第１および前記第２の側面以外の第３の側面に設けられた、外部から、少なくとも映像信号が入力される第３のコネクタ部と、
前記第３の側面と対向する第４の側面に設けられた、外部に、少なくとも、映像信号を出力する第４のコネクタ部とを備えるディスプレイを制御するコンピュータに実行させるプログラムにおいて、
前記第１または前記第３のコネクタ部に、他のディスプレイが接続されているか否かを判定し、
前記他のディスプレイが接続されているか否かの判定結果に応じて、前記第１または前記第３のコネクタ部に入力される映像信号のうちのいずれかを選択し、前記第２のコネクタ部および前記第４のコネクタ部から外部に出力させる
ステップを含むプログラム。
【請求項９】
請求項８に記載のプログラムが記録されている記録媒体。
【発明の詳細な説明】
【技術分野】
【０００１】
本発明は、ディスプレイ、ディスプレイの制御方法、プログラム、並びに記録媒体に関し、特に、例えば、ディスプレイ同士を容易に接続することができるようにするディスプレイ、ディスプレイの制御方法、プログラム、並びに記録媒体に関する。
【背景技術】
【０００２】
例えばＣＲＴ（Cathode Ray Tube）や液晶パネル等の表示手段を有する複数のディスプレイ同士を接続することで形成されたマルチディスプレイシステムが知られている。マルチディスプレイシステムとは、例えば、複数の直方体状のディスプレイを、水平方向にｎ個、垂直方向にｍ個のｎ個×ｍ個並べて配置して相互に接続したものであり、かかるマルチディスプレイシステムでは、例えば全体として１つの映像が表示される（例えば、特許文献１参照）。
【特許文献１】特開２００３−２８０６２３号公報
【発明の開示】
【発明が解決しようとする課題】
【０００３】
ところで、従来のマルチディスプレイシステムにおいては、ディスプレイと他のディスプレイとを電気的に接続するために、ディスプレイにケーブルを装着する作業（ディスプレイ同士をケーブルで繋ぐ作業）が必要であった。また、ディスプレイの配置を変更した場合に、マルチディスプレイシステム全体として適正な映像を表示させるために、ケーブルを装着し直す作業が必要になることがあった。
【０００４】
本発明は、このような状況に鑑みてなされたものであり、ディスプレイ同士を容易に接続することができるようにするものである。
【課題を解決するための手段】
【０００５】
本発明の第１の側面は、映像を表示する表示手段が１つの面に設けられた直方体状の筐体を有するディスプレイにおいて、前記表示手段が設けられた面に直交する前記筐体の４つの側面のうちの第１の側面に設けられた、外部から、少なくとも映像信号が入力される第１のコネクタ部と、前記第１の側面と対向する第２の側面に設けられた、外部に、少なくとも映像信号を出力する第２のコネクタ部とを備えるディスプレイである。
【０００６】
前記ディスプレイの第１の側面と、他のディスプレイの第２の側面とが対向するように、前記ディスプレイと前記他のディスプレイとが配置されたとき、前記ディスプレイの第１のコネクタ部と、前記他のディスプレイの第２の側面に設けられた第２のコネクタ部とが電気的に接続され、前記ディスプレイの第２の側面に、他のディスプレイの第１の側面が対向するように、前記ディスプレイと前記他のディスプレイとが配置されたとき、前記ディスプレイの第２のコネクタ部と前記他のディスプレイの第１の側面に設けられた第１のコネクタ部とが電気的に接続される。
【０００７】
前記第１のコネクタ部には、映像信号が無線で入力され、前記第２のコネクタ部には、映像信号を無線で出力させることができる。
【０００８】
前記第１のコネクタ部には、放送用の高周波信号、音声信号、または制御信号も入力され、前記第２のコネクタ部からは、放送用の高周波信号、音声信号、または制御信号も出力させることができる。
【０００９】
ディスプレイには、前記筐体の４つの側面のうちの前記第１および前記第２の側面以外の第３の側面に設けられた、外部から、少なくとも映像信号が入力される第３のコネクタ部と、前記第３の側面と対向する第４の側面に設けられた、外部に、少なくとも、映像信号を出力する第４のコネクタ部と、前記第１のコネクタ部または前記第３のコネクタ部に入力される映像信号のうちのいずれかを選択し、前記第２のコネクタ部および前記第４のコネクタ部から外部に出力させる選択手段とをさらに設けることができる。
【００１０】
ディスプレイには、前記第１または前記第３のコネクタ部に、他のディスプレイが接続されているか否かを判定する判定手段をさらに設けることができる。この場合、前記選択手段には、前記他のディスプレイが接続されているか否かの判定結果に応じて、前記第１または前記第３のコネクタ部に入力される映像信号のうちのいずれかを選択させることができる。
【００１１】
本発明の第２の側面は、映像を表示する表示手段が１つの面に設けられた直方体状の筐体と、前記表示手段が設けられた面に直交する前記筐体の４つの側面のうちの第１の側面に設けられた、外部から、少なくとも映像信号が入力される第１のコネクタ部と、前記第１の側面と対向する第２の側面に設けられた、外部に、少なくとも映像信号を出力する第２のコネクタ部と、前記筐体の４つの側面のうちの前記第１および前記第２の側面以外の第３の側面に設けられた、外部から、少なくとも映像信号が入力される第３のコネクタ部と、前記第３の側面と対向する第４の側面に設けられた、外部に、少なくとも、映像信号を出力する第４のコネクタ部とを備えるディスプレイの制御方法、またはディスプレイを制御するコンピュータに実行させるプログラムであって、前記第１または前記第３のコネクタ部に、他のディスプレイが接続されているか否かを判定し、前記他のディスプレイが接続されているか否かの判定結果に応じて、前記第１または前記第３のコネクタ部に入力される映像信号のうちのいずれかを選択し、前記第２のコネクタ部および前記第４のコネクタ部から外部に出力させるステップを含むディスプレイの制御方法、またはプログラムである。
【００１２】
プログラムは、記録媒体に記録することができる。
【００１３】
本発明の第１の側面においては、前記表示手段が設けられた面に直交する前記筐体の４つの側面のうちの第１の側面に設けられた第１のコネクタ部には、外部から、少なくとも映像信号が入力され、前記第１の側面と対向する第２の側面に設けられた第２のコネクタ部からは、外部に、少なくとも映像信号が出力される。
【００１４】
本発明の第２の側面においては、前記第１または前記第３のコネクタ部に、他のディスプレイが接続されているか否かが判定される。そして、前記他のディスプレイが接続されているか否かの判定結果に応じて、前記第１または前記第３のコネクタ部に入力される映像信号のうちのいずれかが選択され、前記第２のコネクタ部および前記第４のコネクタ部から外部に出力される。
【発明の効果】
【００１５】
本発明によれば、ディスプレイ同士を容易に接続することができる。
【発明を実施するための最良の形態】
【００１６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
本発明の第１の側面は、映像を表示する表示手段（例えば、図１の表示部２１）が１つの面に設けられた直方体状の筐体（例えば、図１の筐体１０）を有するディスプレイにおいて、前記表示手段が設けられた面に直交する前記筐体の４つの側面のうちの第１の側面に設けられた、外部から、少なくとも映像信号が入力される第１のコネクタ部（例えば、図１の左コネクタ部４１）と、前記第１の側面と対向する第２の側面に設けられた、外部に、少なくとも映像信号を出力する第２のコネクタ部（例えば、図１の右コネクタ部４３）とを備えるディスプレイである。
【００１８】
ディスプレイには、前記筐体の４つの側面のうちの前記第１および前記第２の側面以外の第３の側面に設けられた、外部から、少なくとも映像信号が入力される第３のコネクタ部（例えば、図１の下コネクタ部４２）と、前記第３の側面と対向する第４の側面に設けられた、外部に、少なくとも、映像信号を出力する第４のコネクタ部（例えば、図１の上コネクタ部４４）と、前記第１のコネクタ部または前記第３のコネクタ部に入力される映像信号のうちのいずれかを選択し、前記第２のコネクタ部および前記第４のコネクタ部から外部に出力させる選択手段（例えば、図５のクロスポイントスイッチャ３１６）とをさらに設けることができる。
【００１９】
ディスプレイには、前記第１または前記第３のコネクタ部に、他のディスプレイが接続されているか否かを判定する判定手段（例えば、図５のＭＰＵ３１１）をさらに設けることができる。この場合、前記選択手段には、前記他のディスプレイが接続されているか否かの判定結果に応じて、前記第１または前記第３のコネクタ部に入力される映像信号のうちのいずれかを選択させることができる。
【００２０】
本発明の第２の側面の制御方法、またはプログラムは、映像を表示する表示手段が１つの面に設けられた直方体状の筐体と、前記表示手段が設けられた面に直交する前記筐体の４つの側面のうちの第１の側面に設けられた、外部から、少なくとも映像信号が入力される第１のコネクタ部（例えば、図１の左コネクタ部４１）と、前記第１の側面と対向する第２の側面に設けられた、外部に、少なくとも映像信号を出力する第２のコネクタ部（例えば、図１の右コネクタ部４３）と、前記筐体の４つの側面のうちの前記第１および前記第２の側面以外の第３の側面に設けられた、外部から、少なくとも映像信号が入力される第３のコネクタ部（例えば、図１の下コネクタ部４２）と、前記第３の側面と対向する第４の側面に設けられた、外部に、少なくとも、映像信号を出力する第４のコネクタ部（例えば、図１の上コネクタ部４４）とを備えるディスプレイの制御方法、またはディスプレイを制御するコンピュータに実行させるプログラムであり、前記第１または前記第３のコネクタ部に、他のディスプレイが接続されているか否かを判定し（例えば、図６のステップＳ２およびステップＳ４の処理を実行する図５のＭＰＵ３１１）、前記他のディスプレイが接続されているか否かの判定結果に応じて、前記第１または前記第３のコネクタ部に入力される映像信号のうちのいずれかを選択し、前記第２のコネクタ部および前記第４のコネクタ部から外部に出力させる（例えば、図６のステップＳ３およびステップＳ５の処理を実行する図５のＭＰＵ３１１）ステップを含む。
【００２１】
以下、図面を参照して本発明を適用した実施の形態について説明する。
【００２２】
図１は、本発明を適用したディスプレイの一実施の形態の構成例の外観を示す斜視図である。
【００２３】
ディスプレイは、映像を表示する表示部２１が１つの面３０に設けられた直方体状の筐体１０を有する。表示部２１は、例えば、ＣＲＴや液晶パネル等で構成され、その表示画面は面３０とほぼ一致している。ここで面３０を、以下適宜、表示面３０ともいう。
【００２４】
筐体１０において、表示面３０に直交する４つの側面３１，３２，３３，３４のうちの１つの面である、例えば、向かって左側の左側面３１には、外部から、放送用の高周波信号（ＲＦ（Radio Frequency）信号）、（ベースバンドの）映像信号、（ベースバンドの）音声信号、および制御信号が入力される左コネクタ部４１が設けられている。また、左側面３１に対向する右側面３３には、外部に、放送用の高周波信号、映像信号、音声信号、および制御信号を出力する右コネクタ部４３が設けられている。
【００２５】
さらに、４つの側面３１乃至３４のうちの左側面３１および右側面３３以外の側面の１つである、例えば、下側面３２には、外部から、放送用の高周波信号、映像信号、音声信号、および制御信号が入力される下コネクタ部４２が設けられている。また、下側面３２に対向する上側面３４には、外部に、放送用の高周波信号、映像信号、音声信号、および制御信号を出力する上コネクタ部４３が設けられている。なお、以下、映像信号が入力される左コネクタ部４１および下コネクタ部４２を入力コネクタ部ともいい、映像信号が出力される右コネクタ部４３および上コネクタ部４４を出力コネクタ部ともいう。
【００２６】
図２は、本発明を適用したマルチディスプレイシステム１０１の外観構成例を示す斜視図である。
【００２７】
図２において、マルチディスプレイシステム１０１は、９台のディスプレイ１１1,1、１１1,2、１１1,3、１１2,1、１１2,2、１１2,3、１１3,1、１１3,2、１１3,3を、横×縦が３×３となるように配置して構成されている。
【００２８】
ここで、ディスプレイ１１i,jのサフィックスｉｊは、そのディスプレイ１１i,jが、マルチディスプレイシステム１０１において、第ｉ行第ｊ列（下からｉ行目で、左からｊ列目）に配置されているものであることを示す。
【００２９】
ディスプレイ１１i,jは、図１のディスプレイと同一構成のディスプレイである。
【００３０】
なお、ディスプレイ１１i,jの各部には、図１のディスプレイの対応する各部に付した符号にサフィクスｉｊを付加した符号を付してある。また、ディスプレイ１１i,jを特に区別する必要がなければ、ディスプレイ１１と称する。
【００３１】
図３は、ディスプレイ１１i,jの出力コネクタ部および入力コネクタ部の構成例を示す平面図である。
【００３２】
図３の左の図は、出力コネクタ部（右コネクタ部４３i,jと上コネクタ部４４i,j）の構成例を示している。
【００３３】
出力コネクタ部は、放送用の高周波信号が出力される１つのＲＦ出力端子１５１、映像信号が出力される３つの映像出力端子１５２Ａ乃至映像出力端子１５２Ｃ（例えば、ＲＣＡ端子）、左チャンネルの音声信号が出力される３つの音声出力端子１５３Ａ乃至音声出力端子１５３Ｃ、右チャンネルの音声信号が出力される３つの音声出力端子１５４Ａ乃至音声出力端子１５４Ｃ、並びに制御信号が入出力される１つの制御端子１５５（例えば、IEEE（Institute of Electrical and Electronic Engineers）1394に準拠した端子）で構成される。また、出力コネクタ部には、電源となる電力を外部に供給する電源端子がさらに設けられてもよい。なお、以下、これらの信号端子を出力端子と総称する。
【００３４】
図３の右の図は、入力コネクタ部（左コネクタ部４１i,jと下コネクタ部４２i,j）の構成例を示している。
【００３５】
入力コネクタ部は、放送用の高周波信号が入力される１つのＲＦ入力端子１６１、映像信号が入力される３つの映像入力端子１６２Ａ乃至映像入力端子１６２Ｃ（例えば、ＲＣＡ端子）、左チャンネルの音声信号が入力される３つの音声入力端子１６３Ａ乃至音声入力端子１６３Ｃ、右チャンネルの音声信号が入力される３つの音声入力端子１６４Ａ乃至音声入力端子１６４Ｃ、並びに制御信号が入出力される制御端子１６５（例えば、IEEE1394に準拠した端子）で構成される。また、入力コネクタ部には、電源となる電力が外部から供給される電源端子がさらに設けられてもよい。なお、以下、これらの信号端子を入力端子と総称する。
【００３６】
出力コネクタ部の出力端子と、入力コネクタ部の入力端子とは、鏡像の関係になるようにそれぞれ配置されている。
【００３７】
また、出力コネクタ部と入力コネクタ部とについては、例えば、図２のマルチディスプレイシステム１０１のように、ある２つのディスプレイ１１i,jとディスプレイ１１i,j+1とが、それぞれ左側と右側に隣接するように配置された場合に、左側のディスプレイ１１i,jの出力コネクタ部としての右コネクタ部４３i,jの対応する出力端子と、右側の他のディスプレイ１１i,j+1の入力コネクタ部としての左コネクタ部４１i,j+1の対応する入力端子とが電気的に接続されるようになっている。
【００３８】
すなわち、右コネクタ部４３i,jのＲＦ出力端子１５１と、左コネクタ部４１i,j+1のＲＦ入力端子１６１とが接続され、右コネクタ部４３i,jの映像出力端子１５２Ａと、左コネクタ部４１i,j+1の映像入力端子１６２Ａとが接続される。また、右コネクタ部４３i,jの映像出力端子１５２Ｂと、左コネクタ部４１i,j+1の映像入力端子１６２Ｂとが接続され、右コネクタ部４３i,jの映像出力端子１５２Ｃと、左コネクタ部４１i,j+1の映像入力端子１６２Ｃとが接続される。同様に、右コネクタ部４３i,jの音声出力端子１５３Ａ乃至音声出力端子１５３Ｃ、音声出力端子１５４Ａ乃至音声出力端子１５４Ｃ、または制御端子１５５と、左コネクタ部４１i,j+1の音声入力端子１６３Ａ乃至音声入力端子１６３Ｃ、音声入力端子１６４Ａ乃至音声入力端子１６４Ｃ、または制御端子１６５とが、それぞれ接続される。
【００３９】
従って、例えば、右側のディスプレイ１１i,j+1に注目すると、そのディスプレイ１１i,j+1の左側面３１i,j+1に、他のディスプレイ１１i,jの右側面３３i,jが対向するように、他のディスプレイ１１i,jが配置された場合、他のディスプレイ１１i,jの右側面３３i,jに設けられた右コネクタ部４３i,jの出力端子が出力する信号が、注目しているディスプレイ１１i,j+1の左側面３１i,j+1に設けられた左コネクタ部４１i,j+1の入力端子に入力される。
【００４０】
また、例えば、左側のディスプレイ１１i,jに注目すると、そのディスプレイ１１i,jの右側面３３i,jに、他のディスプレイ１１i,j+1の左側面３１i,j+1が対向するように、他のディスプレイ１１i,j+1が配置された場合、注目しているディスプレイ１１i,jの右側面３３i,jに設けられた右コネクタ部４３i,jの出力端子が出力する信号が、他のディスプレイ１１i,j+1の左側面３１i,j+1に設けられた左コネクタ部４１i,j+1の入力端子に入力される。
【００４１】
さらに、下側と上側に隣接するようにそれぞれ配置された２つのディスプレイ１１i,jとディスプレイ１１i+1,jについては、下側の１１i,jの出力コネクタ部としての上コネクタ部４４i,jの出力端子と、上側のディスプレイ１１i+1,jの入力コネクタ部としての下コネクタ部４２i+1,jの対応する入力端子とが電気的に接続される。
【００４２】
すなわち、上コネクタ部４４i,jのＲＦ出力端子１５１と、下コネクタ部４２i+1,jのＲＦ入力端子１６１とが接続され、上コネクタ部４４i,jの映像出力端子１５２Ａと、下コネクタ部４２i+1,jの映像入力端子１６２Ａとが接続される。また、上コネクタ部４４i,jの映像出力端子１５２Ｂと、下コネクタ部４２i+1,jの映像入力端子１６２Ｂとが接続され、上コネクタ部４４i,jの映像出力端子１５２Ｃと、下コネクタ部４２i+1,jの映像入力端子１６２Ｃとが接続される。同様に、上コネクタ部４４i,jの音声出力端子１５３Ａ乃至音声出力端子１５３Ｃ、音声出力端子１５４Ａ乃至音声出力端子１５４Ｃ、または制御端子１５５と、下コネクタ部４２i+1,jの音声入力端子１６３Ａ乃至音声入力端子１６３Ｃ、音声入力端子１６４Ａ乃至音声入力端子１６４Ｃ、または制御端子１６５とが、それぞれ接続される。
【００４３】
従って、例えば、上側のディスプレイ１１i+1,jに注目すると、そのディスプレイ１１i+1,jの下側面３２i+1,jに、他のディスプレイ１１i,jの上側面３４i,jが対向するように、他のディスプレイ１１i,jが配置された場合、他のディスプレイ１１i,jの上側面３４i,jに設けられた上コネクタ部４４i,jの出力端子が出力する信号が、注目しているディスプレイ１１i+1,jの下側面３２i+1,jに設けられた下コネクタ部４２i+1,jの入力端子に入力される。
【００４４】
また、例えば、下側のディスプレイ１１i,jに注目すると、そのディスプレイ１１i,jの上側面３４i,jに、他のディスプレイ１１i+1,jの下側面３２i+1,jが対向するように、他のディスプレイ１１i+1,jが配置された場合、注目しているディスプレイ１１i,jの上側面３４i,jに設けられた上コネクタ部４４i,jの出力端子が出力する信号が、他のディスプレイ１１i+1,jの下側面３２i+1,jに設けられた下コネクタ部４２i+1,jの入力端子に入力される。
【００４５】
このように、ディスプレイ１１i,jは、他のディスプレイと並べて配置するだけで、その他のディスプレイと電気的に接続されるため、ディスプレイ同士の接続を容易に行うことができる。
【００４６】
また、ディスプレイ同士の間での信号の入出力は、上述のように入力端子と出力端子とを直接に接続して行う他、無線通信によって行うことも可能である。
【００４７】
すなわち、図４は出力コネクタ部と入力コネクタ部の他の構成例を示す断面図である。
【００４８】
図４の上の図に示すように、ディスプレイ１１i,jの出力コネクタ部としての、例えば右側面３３i,jに設けられた右コネクタ部４３i,jは、ＵＷＢ（Ultra Wide Band）送信アンテナ２２１、電波吸収体２２２、および連結検出センサ２２３からなる。ディスプレイ１１i,j+1の入力コネクタ部としての、例えば左側面３１i,j+1に設けられた左コネクタ部４１i,j+1は、ＵＷＢ受信アンテナ２３１、電波吸収体２３２、および空隙２３３からなる。
【００４９】
ディスプレイ１１i,jの右コネクタ部４３i,jにおいて、ＵＷＢ送信アンテナ２２１と連結検出センサ２２３とは、右側面３３i,jから外部側に突出した凸部を形成するように構成されている。電波吸収体２２２は、ＵＷＢ送信アンテナ２２１が放出する電波が、ディスプレイ１１i,jの入力コネクタ部としての左コネクタ部４１i,jや下コネクタ部４２i,jで受信されること等を防止するために、右側面３３i,jの内部側に設けられている。
【００５０】
一方、左コネクタ部４１i,j+1では、空隙２３３が、ＵＷＢ送信アンテナ２２１および連結検出センサ２２３からなる凸部が収まる凹部を形成するように構成されている。さらに、ＵＷＢ受信アンテナ２３１が、空隙２３３としての凹部の底面部分に設けられ、ディスプレイ１１i,jのＵＷＢ送信アンテナ２２１および連結検出センサ２２３からなる凸部がディスプレイ１１i,j+1の凹部になっている空隙２３３に収まったときに、ＵＷＢ送信アンテナ２２１が放出する電波が、ディスプレイ１１i,j+1の他の入力コネクタ部としての下コネクタ部４２i,j+1で受信されること等を防止するために、電波吸収体２３２が、空隙２３３としての凹部の側面部分を囲むように設けられている。
【００５１】
以上のように構成される、出力コネクタ部としての右コネクタ部４３i,jと入力コネクタ部としての左コネクタ部４１i,j+1とについては、ディスプレイ１１i,jと、他のディスプレイ１１i,j+1とが、それぞれ左側と右側に隣接するように配置されると、図４の下の図に示すように、左側のディスプレイ１１i,jの出力コネクタ部としての右コネクタ部４３i,jのＵＷＢ送信アンテナ２２１および連結検出センサ２２３からなる凸部が、右側のディスプレイ１１i,j+1の入力コネクタ部としての左コネクタ部４１i,j+1の空隙２３３としての凹部に収まる（はめ込まれる）。
【００５２】
ＵＷＢ送信アンテナ２２１および連結検出センサ２２３からなる凸部が、右側のディスプレイ１１i,j+1の入力コネクタ部としての左コネクタ部４１i,j+1の空隙２３３としての凹部に収まると、そのことが、連結検出センサ２２３によって検出され、ディスプレイ１１i,jは、ＵＷＢ送信アンテナ２２１からの、映像信号等としての電波の放出を開始する。ＵＷＢ送信アンテナ２２１が放出する電波は、ＵＷＢ受信アンテナ２３１で受信される。
【００５３】
以上のようにして、出力コネクタ部としての右コネクタ部４３i,jは、映像信号等を無線で出力し、入力コネクタ部としての左コネクタ部４１i,j+1には、映像信号等が無線で入力される。
【００５４】
なお、ディスプレイ１１i,jの右コネクタ部４３i,jおよび他のディスプレイ１１i,j+1の左コネクタ部４１i,j+1が、図４に示したように構成される場合には、ディスプレイ１１i,jの上コネクタ部４４i,j並びに他のディスプレイ１１i,j+1の右コネクタ部４３i,j+1および上コネクタ部４４i,j+1は、ディスプレイ１１i,jの右コネクタ部４３i,jと同様に構成され、ディスプレイ１１i,jの左コネクタ部４１i,jおよび下コネクタ部４２i,j、並びに他のディスプレイ１１i,j+1の下コネクタ部４２i,j+1は、他のディスプレイ１１i,j+1の左コネクタ部４１i,j+1と同様に構成される。
【００５５】
図５は、ディスプレイ１１の内部構成例を示すブロック図である。
【００５６】
ＭＰＵ（Micro Processing Unit）３１１は、メモリ３１７に記憶されるプログラムを実行することにより、ディスプレイ１１を構成する各部を制御する。また、ＭＰＵ３１１は、左コネクタ部４１乃至上コネクタ部４４から供給される制御信号に従って処理を行い、制御信号を左コネクタ部４１乃至上コネクタ部４４に供給して外部に出力させる。
【００５７】
ＲＦスイッチャ３１３は、ＭＰＵ３１１の制御に基づいて、外部から左コネクタ部４１または下コネクタ部４２に入力された放送用の高周波信号のいずれかを選択し、分配器３１４に供給する。分配器３１４は、ＲＦスイッチャ３１３から供給された放送用の高周波信号を分配し、右コネクタ部４３、上コネクタ部４４、およびチューナ３１５に供給する。
【００５８】
チューナ３１５は、ＭＰＵ３１１の制御に基づいてチャンネルを選択し、分配器３１４から提供された放送用の高周波信号から、選択されたチャンネルの放送用の高周波信号を抽出して映像信号および音声信号に変換し、クロスポイントスイッチャ３１６に供給する。
【００５９】
クロスポイントスイッチャ３１６は、ＭＰＵ３１１の制御に従い、外部から左コネクタ部４１に入力された映像信号および音声信号（左チャネルおよび右チャネルの音声信号）、または、外部から下コネクタ部４２に入力された映像信号および音声信号のうちのいずれかを選択信号として選択し、その選択信号を、右コネクタ部４３および上コネクタ部４４から外部に出力させる。また、クロスポイントスイッチャ３１６は、ＭＰＵ３１１の制御に従い、チューナ３１５から供給される映像信号および音声信号、または選択信号のうちのいずれかを選択し、表示部２１に供給して、対応する映像（信号）を表示部２１に表示させる。なお、音声信号は、図示せぬスピーカから出力される。
【００６０】
メモリ３１７は、ＭＰＵ３１１が実行するプログラム、ＭＰＵ３１１の動作に必要なデータを記憶する。
【００６１】
なお、ＲＦスイッチャ３１３とクロスポイントスイッチャ３１６とは、ＭＰＵ３１１の制御に従い、連動して信号を選択する。すなわち、クロスポイントスイッチャ３１６が、外部から左コネクタ部４１に入力された映像信号および音声信号を選択信号として選択するとき、ＲＦスイッチャ３１３は、外部から左コネクタ部４１に入力された放送用の高周波信号を選択する。また、クロスポイントスイッチャ３１６が、外部から下コネクタ部４２に入力された映像信号および音声信号を選択信号として選択するとき、ＲＦスイッチャ３１３は、外部から下コネクタ部４２に入力された放送用の高周波信号を選択する。
【００６２】
また、ＭＰＵ３１１が実行するプログラムは、メモリ３１７にあらかじめインストールしておくことができる。また、プログラムは、DVD(Digital Versatile Disc)等のリムーバブルな記憶媒体や、インターネット等のネットワークを介してディスプレイ１１に供給し、メモリ３１７にインストールすることができる。
【００６３】
次に、図６のフローチャートを参照して、ディスプレイ１１による信号選択処理について説明する。
【００６４】
この信号選択処理は、ディスプレイ１１の左コネクタ部４１乃至上コネクタ部４４の接続状態が変化した場合、或いは、必要に応じて、例えばユーザの指示によって、信号選択処理が要求された場合に開始することができる。
【００６５】
ステップＳ１において、ＭＰＵ３１１は、図２に示したようなマルチディスプレイシステム１０１の各ディスプレイ１１の配置を表す配置情報を、後述するように取得して、ステップＳ２に進む。
【００６６】
ステップＳ２において、ＭＰＵ３１１は、配置情報を基に左にディスプレイがあるか否か判定する。ステップＳ２において、左にディスプレイがあると判定された場合、すなわち、左コネクタ部４１に他のディスプレイ（の右コネクタ）が接続される場合、ステップＳ３に進み、ＭＰＵ３１１は、左にあるディスプレイから左コネクタ部４１に入力される高周波信号を選択するように、ＲＦスイッチャ３１３およびクロスポイントスイッチャ３１６を制御して、ステップＳ６に進む。
【００６７】
これにより、左にあるディスプレイから左コネクタ部４１に入力される映像信号および音声信号が、クロスポイントスイッチャ３１６を介して、右コネクタ部４３および上コネクタ部４４から出力されるとともに、左にあるディスプレイから左コネクタ部４１に入力される高周波信号が、ＲＦスイッチャ３１３および分配器３１４を介して、右コネクタ部４３および上コネクタ部４４から出力される。
【００６８】
なお、ステップＳ２において、左にディスプレイがないと判定された場合であっても、例えば、左コネクタ部４１にケーブルなどが接続され、外部から左コネクタ部４１に映像信号等が入力されている場合には、ＭＰＵ３１１は、ステップＳ２からステップＳ３に進み、クロスポイントスイッチャ３１６等に左コネクタ部４１に入力されている映像信号等を選択させる。
【００６９】
一方、ステップＳ２において、左にディスプレイがないと判定された場合、ステップＳ４に進み、ＭＰＵ３１１は、配置情報を基に下にディスプレイがあるか否か判定する。
【００７０】
ステップＳ４において、下にディスプレイがあると判定された場合、すなわち、下コネクタ部４２に他のディスプレイ（の上コネクタ）が接続されている場合、ステップＳ５に進み、ＭＰＵ３１１は、下にあるディスプレイから下コネクタ部４２に入力される高周波信号を選択するように、ＲＦスイッチャ３１３およびクロスポイントスイッチャ３１６を制御してステップＳ６に進む。
【００７１】
これにより、下にあるディスプレイから下コネクタ部４２に入力される映像信号および音声信号が、クロスポイントスイッチャ３１６を介して、右コネクタ部４３および上コネクタ部４４から出力されるとともに、下にあるディスプレイから下コネクタ部４２に入力される高周波信号が、ＲＦスイッチャ３１３および分配器３１４を介して、右コネクタ部４３および上コネクタ部４４から出力される。
【００７２】
なお、ステップＳ４において、下にディスプレイがないと判定された場合であっても、例えば、下コネクタ部４２にケーブルなどが接続され、外部から下コネクタ部４２に映像信号等が入力されている場合には、ＭＰＵ３１１は、ステップＳ４からステップＳ５に進み、クロスポイントスイッチャ３１６等に下コネクタ部４２に入力されている映像信号等を選択させる。
【００７３】
一方、ステップＳ４において、下にディスプレイがないと判定された場合、すなわち、例えば、左コネクタ部４１および下コネクタ部４２のいずれにも、映像信号等が入力されていない場合、ステップＳ３に進み、ＭＰＵ３１１は、左コネクタ部４１側または下コネクタ部４２側のうちの左コネクタ部４１側を選択するように、ＲＦスイッチャ３１３およびクロスポイントスイッチャ３１６を制御して、ステップＳ６に進む。
【００７４】
ステップＳ６では、ＭＰＵ３１１が、チューナ３１５が出力する映像（信号）を、表示部２１に表示させるかどうかを判定する。
【００７５】
ステップＳ６において、チューナ３１５が出力する映像（信号）を、表示部２１に表示させると判定された場合、すなわち、例えば、ユーザが図示せぬリモートコマンダを操作することにより、ディスプレイ１１のモードが、チューナ３１５が出力する映像を表示部２１に表示させるモードとなっている場合、ステップＳ７に進み、ＭＰＵ３１１は、クロスポイントスイッチャ３１６を制御することにより、チューナ３１５が出力する映像信号を、表示部２１に出力させ、ステップＳ９に進む。
【００７６】
これにより、表示部２１では、チューナ３１５が出力する映像（信号）が表示される。
【００７７】
また、ステップＳ６において、チューナ３１５が出力する映像を、表示部２１に表示させないと判定された場合、すなわち、ユーザがリモートコマンダを操作することにより、ディスプレイ１１のモードが、外部から入力された映像（信号）を表示部２１に表示させるモードとなっている場合、ステップＳ８に進み、ＭＰＵ３１１は、クロスポイントスイッチャ３１６を制御することにより、ステップＳ３またはステップＳ５で右コネクタ部４３と上コネクタ部４４に出力した映像信号と同一の映像信号（選択信号）を、ディスプレイ１１に出力させ、ステップＳ９に進む。
【００７８】
これにより、表示部２１では、ステップＳ３またはステップＳ５で右コネクタ部４３と上コネクタ部４４に出力された映像信号が表示される。
【００７９】
ステップＳ９では、ＭＰＵ３１１が、信号選択処理を終了するかどうかを判定する。ステップＳ９において、信号選択処理を終了しないと判定された場合、ステップＳ１に戻り、以下、同様の処理が繰り返される。
【００８０】
また、ステップＳ９において、信号選択処理を終了すると判定された場合、すなわち、例えば、ユーザが信号選択処理を行わないようにリモートコマンダを操作した場合、信号選択処理は終了する。
【００８１】
次に、図７のフローチャートを参照して、図６のステップＳ１で行われる配置情報を取得する配置情報取得処理について説明する。
【００８２】
ステップＳ５１において、ＭＰＵ３１１は、上コネクタ部４４に他のディスプレイの下コネクタ部が接続されているか否か判定する。なお、ＭＰＵ３１１は、ステップＳ５１において、例えば、上コネクタ部４４（の端子）にかかる電圧等に基づいて、上コネクタ部４４に他のディスプレイの下コネクタ部が接続されているかどうかを判定する。後述するステップＳ５４、ステップＳ５７、およびステップＳ６０でも同様である。
【００８３】
ステップＳ５１において、上コネクタ部４４に他のディスプレイの下コネクタ部が接続されていると判定された場合、ステップＳ５２に進み、ＭＰＵ３１１は、上コネクタ部４４に接続されている他のディスプレイである上のディスプレイから、配置情報を取得して、ステップＳ５４に進む。
【００８４】
ここで、配置情報が、例えば、上のディスプレイが上からＮ番目に配置されていることを表す場合、ＭＰＵ３１１は、その配置情報に基づき、自身が上からＮ＋１番目に配置されていることを認識して、その旨の配置情報を記憶する。
【００８５】
一方、ステップＳ５１において、上コネクタ部４４に他のディスプレイの下コネクタ部が接続されていないと判定された場合、ステップＳ５３に進み、ＭＰＵ３１１は、ディスプレイ１１が上から１番目に配置されていることを認識し、その旨の配置情報を記憶してステップＳ５４に進む。
【００８６】
ステップＳ５４において、ＭＰＵ３１１は、下コネクタ部４２に他のディスプレイの上コネクタ部が接続されているか否か判定する。
【００８７】
ステップＳ５４において、下コネクタ部４２に他のディスプレイの上コネクタ部が接続されていると判定された場合、ステップＳ５５に進み、ＭＰＵ３１１は、下コネクタ部４２に接続されている他のディスプレイである下のディスプレイから、配置情報を取得して、ステップＳ５７に進む。
【００８８】
ここで、配置情報が、例えば、下のディスプレイが下からＮ番目に配置されていることを表す場合、ＭＰＵ３１１は、その配置情報に基づき、自身が下からＮ＋１番目に配置されていることを認識して、その旨の配置情報を記憶する。
【００８９】
一方、ステップＳ５４において、下コネクタ部４２に他のディスプレイの上コネクタ部が接続されていないと判定された場合、ステップＳ５６に進み、ＭＰＵ３１１は、ディスプレイ１１が下から１番目に配置されていることを認識し、その旨の配置情報を記憶してステップＳ５７に進む。
【００９０】
ステップＳ５７において、ＭＰＵ３１１は、右コネクタ部４３に他のディスプレイの左コネクタ部が接続されているか否か判定する。
【００９１】
ステップＳ５７において、右コネクタ部４３に他のディスプレイの左コネクタ部が接続されていると判定された場合、ステップＳ５８に進み、ＭＰＵ３１１は、右コネクタ部４３に接続されている他のディスプレイである右のディスプレイから、配置情報を取得して、ステップＳ６０に進む。
【００９２】
ここで、配置情報が、例えば、右のディスプレイが右からＮ番目に配置されていることを表す場合、ＭＰＵ３１１は、その配置情報に基づき、自身が右からＮ＋１番目に配置されていることを認識して、その旨の配置情報を記憶する。
【００９３】
一方、ステップＳ５７において、右コネクタ部４３に他のディスプレイの左コネクタ部が接続されていないと判定された場合、ステップＳ５９に進み、ＭＰＵ３１１は、ディスプレイ１１が右から１番目に配置されていることを認識し、その旨の配置情報を記憶してステップＳ６０に進む。
【００９４】
ステップＳ６０において、ＭＰＵ３１１は、左コネクタ部４１に他のディスプレイの右コネクタ部が接続されているか否か判定する。
【００９５】
ステップＳ６０において、左コネクタ部４１に他のディスプレイの右コネクタ部が接続されていると判定された場合、ステップＳ６１に進み、ＭＰＵ３１１は、左コネクタ部４１に接続されている他のディスプレイである左のディスプレイから、配置情報を取得して、ステップＳ６３に進む。
【００９６】
ここで、配置情報が、例えば、左のディスプレイが左からＮ番目に配置されていることを表す場合、ＭＰＵ３１１は、その配置情報に基づき、自身が左からＮ＋１番目に配置されていることを認識して、その旨の配置情報を記憶する。
【００９７】
一方、ステップＳ６０において、左コネクタ部４１に他のディスプレイの右コネクタ部４３が接続されていないと判定された場合、ステップＳ６２に進み、ＭＰＵ３１１は、ディスプレイ１１が左から１番目に配置されていることを認識し、その旨の配置情報を記憶してステップＳ６３に進む。
【００９８】
ステップＳ６３では、ＭＰＵ３１１は、いままでに記憶した配置情報から、マルチディスプレイシステムを構成する各ディスプレイの配置位置を確定することができるかどうかを判定する。
【００９９】
ステップＳ６３において、マルチディスプレイシステムを構成する各ディスプレイの配置位置を、まだ確定することができないと判定された場合、ステップＳ５１に戻り、以下、同様の処理が繰り返される。
【０１００】
また、ステップＳ６３において、マルチディスプレイシステムを構成する各ディスプレイの配置位置を確定することができると判定された場合、リターンする。
【０１０１】
図８は、ディスプレイ１１に対する、信号の入出力の様子を示している。
【０１０２】
なお、図８、並びに後述する図９および図１０では、説明を簡単にするために、映像信号にのみ注目して説明を行う。
【０１０３】
ディスプレイ１１では、左コネクタ４１に映像信号が入力される場合（左コネクタ部４１の他、下コネクタ部４２にも映像信号が入力される場合を含む）、図６で説明したことから、クロスポイントスイッチャ３１６は、図８の左の図に示すように、左コネクタ４１に外部から入力された映像信号を選択し、右コネクタ４３と上コネクタ４４の両方から外部に出力する。
【０１０４】
また、ディスプレイ１１では、下コネクタにのみ、映像信号が入力される場合、図６で説明したことから、クロスポイントスイッチャ３１６は、図８の右の図に示すように、下コネクタ４２（図８では図示せず）に外部から入力された映像信号を選択し、右コネクタ４３と上コネクタ４４の両方から外部に出力する。
【０１０５】
図９および図１０は、複数のディスプレイ１１で構成されるマルチディスプレイシステム１０１において映像信号が入力される経路を示している。
【０１０６】
なお、図９および図１０では、マルチディスプレイシステム１０１の最も左下にあるディスプレイ１１1,1の左コネクタ部４１1,1（図９および図１０において図示せず）に外部から映像信号が入力されている。
【０１０７】
図９は、９台のディスプレイ１１を横×縦が３×３台になるように配置したマルチディスプレイシステム１０１における映像信号の経路を示している。
【０１０８】
図９において、ディスプレイ１１1,1は左コネクタ部４１1,1に外部から映像信号が入力されるため、その左コネクタ部４１1,1に入力される映像信号を、右コネクタ部４３1,1から右のディスプレイ１１1,2に出力するとともに、上コネクタ部４４1,1から上のディスプレイ１１2,1に出力する。
【０１０９】
ディスプレイ１１2,1は、下のディスプレイ１１1,1のみから映像信号が入力されるため、その映像信号を、上のディスプレイ１１3,1と左のディスプレイ１１2,2に出力する。ディスプレイ１１3,1も、ディスプレイ１１2,1と同様に、下のディスプレイ１１3,1のみから映像信号が入力されるため、その映像信号を、上（上コネクタ部４４3,1）から出力するとともに、右（右コネクタ部４３3,1）からディスプレイ１１3,2に出力する。
【０１１０】
ディスプレイ１１1,2，１１1,3，１１2,2，１１2,3，１１3,2、および１１3,3は、いずれも左から映像信号が入力されるため、その映像信号を、上と右に出力する。以上の結果、例えば、最も右上のディスプレイ１１3,3には、ディスプレイ１１1,1に入力された映像信号が、図９において太線で示すように、ディスプレイ１１1,1，１１2,1，１１3,1，および１１3,2を経由して供給される。
【０１１１】
図９の、横×縦が３×３台のディスプレイ１１で構成されるマルチディスプレイシステム１０１から、例えば、最上段の左から２番目のディスプレイ１１3,2を取り除くと、マルチディスプレイシステム１０１における映像信号の経路は、図１０に示すようになる。
【０１１２】
ディスプレイ１１3,2を取り除くと、最も右上のディスプレイ１１3,3についてだけ、映像信号の入力の状態が変化する。
【０１１３】
すなわち、図９では、ディスプレイ１１3,3には、左から映像信号が入力されるが、図１０では、ディスプレイ１１3,2がないので、ディスプレイ１１3,3には、下からのみ映像信号が入力される。このため、ディスプレイ１１3,3は、図１０では、下に入力された映像信号を、上と右から出力する。
【０１１４】
その結果、ディスプレイ１１3,3には、ディスプレイ１１1,1に入力された映像信号が、図１０において太線で示すように、ディスプレイ１１1,1，１１2,1，１１2,2、および１１2,3を経由して供給される。
【０１１５】
図６および図８で説明したように、ディスプレイ１１は、左または下から入力される映像信号のうちの一方を選択し、すなわち、左と下の両方から映像信号が入力される場合には、左から入力される映像信号を選択し、下のみから映像信号が入力される場合には、その下から入力される映像信号を選択し、右と上から出力するので、マルチディスプレイシステム１０１において、ディスプレイ１１の配置が変化しても、ユーザが、映像信号等の分配のために配線を繋ぎ変える必要がない。
【０１１６】
なお、ディスプレイ１１には、左コネクタ部４１乃至上コネクタ部４４のすべてを儲けるのではなく、左コネクタ部４１と右コネクタ部４３だけを設けることができる。ただし、この場合には、マルチディスプレイシステム１０１において縦方向に配置されるディスプレイ１１同士は、ケーブルを用いて接続する必要がある。
【０１１７】
また、ディスプレイ１１には、左コネクタ部４１乃至上コネクタ部４４のすべてを儲けるのではなく、下コネクタ部４３と上コネクタ部４４だけを設けることができる。ただし、この場合には、マルチディスプレイシステム１０１において横方向に配置されるディスプレイ１１同士は、ケーブルを用いて接続する必要がある。  
【０１１８】
さらに、実施の形態では、ディスプレイ１１の左と下に入力コネクタ部を設けるとともに、右と上に出力コネクタ部を設けるようにしたが、入力コネクタ部は、ディスプレイ１１の右または上に設けてもよい。同様に、出力コネクタ部も左または下に設けてもよい。
【０１１９】
なお、本明細書において、フローチャートによって説明した各ステップは、必ずしも、記載された順序に沿って時系列的に行われる必要はなく、並列的あるいは個別に実行されてもよい。
【０１２０】
また、本明細書において、システムとは、複数の装置により構成される装置全体を表すものである。
【図面の簡単な説明】
【０１２１】
【図１】本発明を適用したディスプレイの一実施の形態の構成例の外観を示す斜視図である。
【図２】本発明を適用したマルチディスプレイシステム１０１の外観構成例を示す斜視図である。
【図３】ディスプレイ１１の出力コネクタ部および入力コネクタ部の構成例を示す平面図である。
【図４】出力コネクタ部と入力コネクタ部の他の構成例を示す断面図である。
【図５】ディスプレイ１１の内部構成例を示すブロック図である。
【図６】ディスプレイ１１による信号選択処理について説明するフローチャートである。
【図７】図６のステップＳ１で行う配置情報を取得する配置情報取得処理について説明するフローチャートである。
【図８】ディスプレイ１１に対する、信号の入出力の様子を示す図である。
【図９】複数のディスプレイ１１で構成されるマルチディスプレイシステム１０１における映像信号の経路を示す図である。
【図１０】複数のディスプレイ１１で構成されるマルチディスプレイシステム１０１における映像信号の経路を示す図である。
【符号の説明】
【０１２２】
１１  ディスプレイ，２１  表示部，３１  左側面，３２  下側面，３３  右側面，３４  上側面，４１  左コネクタ部，４２  下コネクタ部，４３  右コネクタ部，４４  上コネクタ部，１０１  マルチディスプレイシステム，１５１  ＲＦ出力端子，１５２Ａ乃至１５２Ｃ  映像出力端子，１５３Ａ乃至１５３Ｃ  音声出力端子，１５４Ａ乃至１５４Ｃ  音声出力端子，１５５  制御端子，１６１  ＲＦ入力端子，１６２Ａ乃至１６２Ｃ  映像入力端子，１６３Ａ乃至１６３Ｃ  音声入力端子，１６４Ａ乃至１６４Ｃ  音声入力端子，１６５  制御端子，２２１  ＵＷＢ送信アンテナ，２３１  ＵＷＢ受信アンテナ，３１１  ＭＰＵ，３１２  表示部，３１３  ＲＦスイッチャ，３１４  分配器，３１５  チューナ，３１６  クロスポイントスイッチャ，  ３１７  メモリ
【図１】
2007166364.tif 000003
【図２】
2007166364.tif 000004
【図３】
2007166364.tif 000005
【図４】
2007166364.tif 000006
【図５】
2007166364.tif 000007
【図６】
2007166364.tif 000008
【図７】
2007166364.tif 000009
【図８】
2007166364.tif 000010
【図９】
2007166364.tif 000011
【図１０】
2007166364.tif 000012